【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  患者が携帯する携帯型通信端末装置と、患者に発行する個人認証情報を前記携帯型通信端末装置に通信回線を介して送信する送信装置と、前記個人認証情報に関連付けて患者の医療情報を記録管理する管理サーバと、医療機関に設置され前記管理サーバと通信回線にて接続される医療機関通信端末装置とを備え、前記医療機関通信端末装置は前記携帯型通信端末装置から出力される個人認証情報を前記管理サーバに送信して管理サーバから患者の個人医療情報を取得することを特徴とする医療情報管理システム。
【請求項２】  請求項１の医療情報管理システムにおいて、前記医療機関通信端末装置は前記携帯型通信端末装置から出力された個人認証情報と共にその患者の医療情報を前記管理サーバに送信し、前記管理サーバは前記個人認証情報に関連付けて患者の医療情報を記録することを特徴とする医療情報管理システム。
【請求項３】  請求項２の医療情報管理システムにおいて、前記管理サーバは前記個人認証情報とともに送られてきた前記医療情報を記録して良いか否かを確認するための記録許可情報を前記携帯型通信端末装置に送信する手段を有し、前記携帯型通信端末装置は記録許可の返答を前記管理サーバに送信する手段を有し、前記管理サーバは記録許可の返答が送信されてきたときに前記個人認証情報に関連付けて患者の医療情報を記録することを特徴とする医療情報管理システム。
【請求項４】  請求項２の医療情報管理システムにおいて、前記医療機関通信端末装置は前記管理サーバにて登録されている法人認証情報を予め取得しており、前記医療機関通信端末装置と前記管理サーバとの間における前記医療情報の相互のやり取りは前記個人認証情報と合わせて前記法人認証情報を用いることにより行われることを特徴とする医療情報管理システム。
【請求項５】  患者に発行する個人認証情報を患者が携帯する携帯型通信端末装置に通信回線を介して送信することにより前記個人認証情報を取得するステップと、患者の医療情報を記録管理する管理サーバを持つデータ管理機関に対して医療機関に設置される医療機関通信端末装置から通信回線を使用して患者の医療情報の取得を要求するステップと、前記データ管理機関が前記医療機関からの医療情報の取得要求に対して患者の個人認証情報を求めるステップと、前記携帯型端末装置から出力される個人認証情報を前記施設に送信して前記管理サーバから患者の個人医療情報を取得するステップと、からなることを特徴とする医療情報管理方法。
【請求項６】  患者の医療情報を記録管理する管理サーバを持つデータ管理機関に対して医療機関に設置される医療機関通信端末装置から通信回線を使用して患者の医療情報の取得及び記録を行う医療情報管理方法において、予め患者が携帯する携帯型通信端末装置に前記データ管理機関より通信回線を介して個人認証情報を取得させておき、前記医療機関にて前記患者の医療情報の取得及び記録を行う際には前記患者が携帯する携帯型通信端末装置から出力される個人認証情報を用いることを特徴とする医療情報管理方法。
【請求項７】  請求項６の医療情報管理方法において、前記医療機関通信端末装置から通信回線を介して前記管理サーバに医療情報を記録する際に、前記データ管理機関から通信回線を介して前記患者の携帯する携帯型通信端末装置へ前記医療情報を記録して良いか否かを確認するための記録許可情報を送信し、前記データ管理機関は前記携帯型通信端末装置からの記録許可の返信を受けて前記管理サーバへ前記患者の医療情報を記録することを特徴とする医療情報管理方法。
【手続補正２】
【補正対象書類名】明細書
【補正対象項目名】０００５
【補正方法】変更
【補正の内容】
【０００５】
【課題を解決するための手段】
上記課題を解決するために、本発明は以下のような構成を備えることを特徴とする。
（１）  患者が携帯する携帯型通信端末装置と、患者に発行する個人認証情報を前記携帯型通信端末装置に通信回線を介して送信する送信装置と、前記個人認証情報に関連付けて患者の医療情報を記録管理する管理サーバと、医療機関に設置され前記管理サーバと通信回線にて接続される医療機関通信端末装置とを備え、前記医療機関通信端末装置は前記携帯型通信端末装置から出力される個人認証情報を前記管理サーバに送信して管理サーバから患者の個人医療情報を取得することを特徴とする。
（２）  （１）の医療情報管理システムにおいて、前記医療機関通信端末装置は前記携帯型通信端末装置から出力された個人認証情報と共にその患者の医療情報を前記管理サーバに送信し、前記管理サーバは前記個人認証情報に関連付けて患者の医療情報を記録することを特徴とする。
（３）  （２）の医療情報管理システムにおいて、前記管理サーバは前記個人認証情報とともに送られてきた前記医療情報を記録して良いか否かを確認するための記録許可情報を前記携帯型通信端末装置に送信する手段を有し、前記携帯型通信端末装置は記録許可の返答を前記管理サーバに送信する手段を有し、前記管理サーバは記録許可の返答が送信されてきたときに前記個人認証情報に関連付けて患者の医療情報を記録することを特徴とする。
（４）  （２）の医療情報管理システムにおいて、前記医療機関通信端末装置は前記管理サーバにて登録されている法人認証情報を予め取得しており、前記医療機関通信端末装置と前記管理サーバとの間における前記医療情報の相互のやり取りは前記個人認証情報と合わせて前記法人認証情報を用いることにより行われることを特徴とする。
（５）  患者に発行する個人認証情報を患者が携帯する携帯型通信端末装置に通信回線を介して送信することにより前記個人認証情報を取得するステップと、患者の医療情報を記録管理する管理サーバを持つデータ管理機関に対して医療機関に設置される医療機関通信端末装置から通信回線を使用して患者の医療情報の取得を要求するステップと、前記データ管理機関が前記医療機関からの医療情報の取得要求に対して患者の個人認証情報を求めるステップと、前記携帯型端末装置から出力される個人認証情報を前記施設に送信して前記管理サーバから患者の個人医療情報を取得するステップと、からなることを特徴とする。
（６）  患者の医療情報を記録管理する管理サーバを持つデータ管理機関に対して医療機関に設置される医療機関通信端末装置から通信回線を使用して患者の医療情報の取得及び記録を行う医療情報管理方法において、予め患者が携帯する携帯型通信端末装置に前記データ管理機関より通信回線を介して個人認証情報を取得させておき、前記医療機関にて前記患者の医療情報の取得及び記録を行う際には前記患者が携帯する携帯型通信端末装置から出力される個人認証情報を用いることを特徴とする。
（７）  （６）の医療情報管理方法において、前記医療機関通信端末装置から通信回線を介して前記管理サーバに医療情報を記録する際に、前記データ管理機関から通信回線を介して前記患者の携帯する携帯型通信端末装置へ前記医療情報を記録して良いか否かを確認するための記録許可情報を送信し、前記データ管理機関は前記携帯型通信端末装置からの記録許可の返信を受けて前記管理サーバへ前記患者の医療情報を記録することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】